(57)【要約】【課題】面板の空間が節約でき及びスピーカーの発音効果に影響を与えないキーユニットの提供。【解決手段】本発明のキーユニットは複数のタッチ・スイッチを備えたサーキットボードと、該サーキットボードの一側面に配置され、サーキットボードのタッチ・スイッチに対応する複数のポイントを備えたファンクション・キーと、スピーカーと、を含み、前記サーキットボードと前記キーとの間に前記スピーカーを収容する空間が画成される。スピーカーが前記サーキットボードと前記キーとの間の空間に収容されることによって、該キーユニットを使用する３Ｃ情報製品の面板の使用空間に影響を与える。【選択図】図１
2007035632.tif 000002
【特許請求の範囲】
【請求項１】
複数のタッチ・スイッチを備えたサーキットボードと、
該サーキットボードの側面に配置され、サーキットボードのタッチ・スイッチに対応す
る複数のポイントを備えたキーと、
スピーカーと、を含むキーユニットにおいて、
前記サーキットボードと前記キーとの間に前記スピーカーを収容する空間が
画成されることを特徴とするキーユニット。
【請求項２】
前記キーは、
円形の頂部と、
該頂部の円周から下方へ伸びる、一定間隔で配置された側壁と、を含み、
前記空間は該頂部と該側壁の間に囲まれることを特徴とする、請求項１に記載のキーユニット。
【請求項３】
前記キーの頂部にトーン・ホールとしての多くの穴を形成することを特徴とする、請求項２に記載のキーユニット。
【請求項４】
前記キーの側壁に多くのチャンネルを形成し、前記ポイントが前記スピーカーの下方及び前記側壁の端部に形成されることを特徴とする、請求項２に記載のキーユニット。
【請求項５】
前記頂部は、前記多くのポイントがそれぞれ前記サーキットボードの対応するタッチ・スイッチと接触するための操作柱を含むことを特徴とする、請求項４に記載のキーユニット。
【請求項６】
前記キーは５つの方向を指すファンクションを採用することを特徴とする、請求項５に記載のキーユニット。
【請求項７】
前記サーキットボードの前記スピーカーに対応する位置にトーン・ホールとしての多くの開口を形成することを特徴とする、請求項２から請求項６までのいずれか１項に記載のキーユニット。
【発明の詳細な説明】
【技術分野】
【０００１】
本発明はキーユニットに係り、特にハンドマイクを有するキーユニットに関するものである。
【背景技術】
【０００２】
電子技術及びディジタル技術の急速に発展しているとともに、携帯電話、ＰＤＡ、パームトップ型コンピュータなどの３Ｃ情報製品は、不可欠の生活用品になっている。携帯電話は、無線のインターネット・アクセス、ディジタル・カメラ技術及びビデオ／オーディオ録音／再生のような正当なスピーチ・コミュニケーション以外の多くの機能を含んでいる。これらの機能を増やして改善することは情報技術開発では普及する傾向にある。現在、ビデオ／オーディオ機能を装備した携帯電話は特に所望される物品になっている。従って、スピーカーは携帯電話の重要な構成要素である。
【０００３】
一般に、従来の携帯電話は面板を含んでいる。該面板は、ディスプレイ・パネル、データ・セクション、及びディスプレイ・パネルとデータ・セクションとの間に形成されたファンクション・キー・セクションを含んでいる。スピーカーは前記ディスプレイ・パネルの上側に設置される。しかし、上述のような従来の携帯電話に対しては、スピーカーの構成の体積が大き過ぎれば、ディスプレイ・パネルの使用空間を縮小させ、スピーカーの構成の体積が小さ過ぎれば、スピーカーの音色に影響を与えるという課題がある。
【発明の開示】
【発明が解決しようとする課題】
【０００４】
以上の問題点に鑑み、本発明は、面板の空間を節約でき且つスピーカーの音色に影響を与えないキーユニットを提供することを目的とする。
【課題を解決するための手段】
【０００５】
本発明のキーユニットは複数のタッチ・スイッチを備えたサーキットボードと、該サーキットボードの側面に配置され、サーキットボードのタッチ・スイッチに対応する複数のポイントを備えたファンクション・キーと、スピーカーと、を含み、前記サーキットボードと前記キーとの間に前記スピーカーを収容するための空間が画成される。
【０００６】
前記キーは、円形の頂部と、該頂部の円周から下方へ伸びる、一定間隔で配置された側壁と、を含み、前記スペースは頂部と側壁の間に囲まれ、トーン・ホールとしての多くの穴が形成される。
【０００７】
前記キーの側壁には多くのチャンネルを形成し、前記ポイントが前記スピーカーの下方及び前記側壁の端部に形成される。
【発明の効果】
【０００８】
本発明に係るキーユニットは、スピーカーが前記サーキットボードと前記キーとの間の空間に収容されることによって、該キーユニットを使用する３Ｃ情報製品の面板の使用空間に影響を与える。
【発明を実施するための最良の形態】
【０００９】
以下、図面に基づいて、本発明の実施形態に係るキーユニットに対して詳細に説明する。
【００１０】
図１乃至図３を参照すると、本発明のキーユニット１０はサーキットボード２０、サーキットボード２０の上にマウントされたファンクション・キー３０、および、ファンクション・キー３０とサーキットボード２０との間に挟まれたカラム・スピーカー４０を含んでいる。本実施形態において、ファンクション・キー３０は５つの方向を指すファンクション・キーを採用する。
【００１１】
前記サーキットボード２０には、ファンクション・キー３０が指す５つの方向に対応して、５つのタッチ・スイッチ２２を配置する。４つのセクター状の開口２４は、一方のタッチ・スイッチ２２と他方のタッチ・スイッチ２２との間に形成され、前記スピーカー４０より下でトーン・ホールとして作用する。
【００１２】
ファンクション・キー３０は、円形の頂部３２と、該頂部３２の円周から下方へ伸びる、一定間隔で配置された側壁３４と、を含む。前記頂部３２と側壁３４とが囲まれることにより、前記スピーカー４０を収容するための空間３５が画成される。前記スピーカー４０及び前記側壁３４の下方に前記タッチ・スイッチ２２に対応するポイント３６をそれぞれ形成する。隣接する２つの側壁３４の間には通信するためのチャンネル３７が画成される。前記チャンネル３７は前記サーキットボード２０の開口２４と対応するように構成される。頂部３２には、その中央部分に操作柱３８が配置され、該操作柱３８の周囲には対称に配置された複数の穴３９が形成される。前記穴３９は、前記スピーカー４０の音が周囲の環境へ広がることを可能にするトーン・ホールの機能を有する。前記操作柱３８を操作することにより、前記５つのポイント３６は別々に前記サーキットボード２０の対応するタッチ・スイッチ２２と接触することができる。
【００１３】
本発明のキーユニット１０は、携帯電話、ＰＤＡ、パームトップおよび高度自動機能電話のような３Ｃ情報製品に使用することができる。本実施形態において、キーユニット１０を備える携帯電話５０を例として説明する。
【００１４】
携帯電話５０は、キーユニット１０を収容するための筐体５１を含んでいる。筐体５１はディスプレイ・パネル５２、データ・セクション５３、およびディスプレイ・パネル５２とデータ・セクション５３の間に形成されたファンクション・キー・セクション５４を含んでいる。データ・セクション５３には、別々にデータ・キー５５を収容するための１２個の開口を形成する。データ・キー５５は、柔軟なゴムで作られる。ファンクション・キー・セクション５４には、ファンクション・キー３０を収容するための孔５６が形成される。キーユニット１０のサーキットボード２０が筐体５１に収容される場合、前記スピーカー４０の下方には下部の音響空間４２を画成し、前記スピーカー４０の上方には上部の音響空間４４を画成する。前記音響空間４２の寸法、および上部の音響空間４４の穴３９のボリュームは、それぞれスピーカー４０の低周波および高周波用共振周波数に影響を与える。前記音響空間４２がより大きな空間を有する場合、スピーカー４０の低周波用の共振周波数が小さくなる。前記音響空間４４の穴３９がより大きなボリュームを有する場合、スピーカー４０の高周波用の共振周波数が増加する。低減される低周波用の共振周波数および増加した高周波用の共振周波数は、スピーカー４０のオーディオを、直接、改善することができる。
【００１５】
本発明の実施形態において、スピーカー４０は、ファンクション・キー３０とサーキットボード２０との間に画成された空間３５に収容されるとともに、携帯電話５０の厚さ及び寸法を増加させず、かつ、ディスプレイ・パネル５２のサイズを縮小せず、音を送信することができる。前記隣接した２つの側壁３４の間に通信するためのチャンネル３７を形成し、該チャンネル３７は前記サーキットボード２０の開口２４と対応するように構成される。また、前記開口２４を通してサーキットボード２０の背面で通信するために、スピーカー４０の下部の音響空間４２はより大きな空間を獲得することができる。前記音響腔４２がより大きな空間を有するので、スピーカー４０に気圧を印加すると、スピーカー４０の低周波用共振周波数が小さくなり、スピーカー４０の音質を改善することができる。更に、スピーカー４０の音質を改善するために、ファンクション・キー３０の穴３９を形成する。該穴３９の寸法が大きすぎれば、携帯電話５０を保護するファンクション・キー３０及び頂部３２を損傷する恐れがある。該穴３９の寸法が小さすぎれば、スピーカー４０のより高い共振周波数を実用できない。従って、携帯電話５０の保護及びより高い共振周波数を考えて穴３９の寸法を構成する必要がある。
【図面の簡単な説明】
【００１６】
【図１】本発明の実施状態のキーユニットおよび該キーユニットを使用する携帯電話の分解図である。
【図２】図１の組立図である。
【図３】図２のＩＩＩ−ＩＩＩ線に沿って切断した断面図である。
【符号の説明】
【００１７】
１０  キーユニット
２０  サーキットボード
２２  タッチ・スイッチ
２４  開口
３０  ファンクション・キー
３２  頂部
３４  側壁
３５  スペース
３６  ポイント
３７  チャンネル
３８  操作柱
３９  穴
４０  スピーカー
４２、４４  音響空間
５０  携帯電話
５１  筐体
５２  ディスプレイ・パネル
５３  データ・セクション
５４  ファンクション・キー・セクション
５５  データ・キー
５６  孔
【図１】
2007035632.tif 000003
【図２】
2007035632.tif 000004
【図３】
2007035632.tif 000005